(57)【要約】【課題】外面バックシート及びファスニングテープの大掛かりな設計変更を伴うことなく、外面バックシートに対するファスニングテープの係合力を向上する。【解決手段】吸収体４と、該吸収体４の表面側を覆う透液性トップシート３と、前記吸収体４の裏面側を覆う防漏シート６と、この防漏シート６の外面側に設けられた不織布からなる外面バックシート２と、おむつの背側両側部に設けられたフック要素１０Ｂを有する機械接合式のファスニングテープ１０とからなり、おむつの装着に当たり前記ファスニングテープ１０を前記外面バックシート２の表面に直接的に係合させるようにした使い捨ておむつにおいて、前記外面バックシート２の外面側に対して、少なくとも前記ファスニングテープ１０の係合領域として設定される係合範囲１１に、前記外面バックシート２を貫通する多数の開孔１２を設ける。【選択図】図５
2008006272.tif 000002
【特許請求の範囲】
【請求項１】
吸収体と、該吸収体の表面側を覆う透液性トップシートと、前記吸収体の裏面側を覆う防漏シートと、この防漏シートの外面側に設けられた不織布からなる外面バックシートと、おむつの背側両側部に設けられたフック要素を有する機械接合式のファスニングテープとからなり、おむつの装着に当たり前記ファスニングテープを前記外面バックシートの表面に直接的に係合させるようにした使い捨ておむつにおいて、
前記外面バックシートの外面側に対して、少なくとも前記ファスニングテープの係合領域として設定される所定範囲に、前記外面バックシートを貫通する多数の開孔を設けてあることを特徴とする使い捨ておむつ。
【請求項２】
前記開孔は、前記係合領域として設定される所定範囲に、５〜２０％の割合で形成されている請求項１に記載の使い捨ておむつ。
【請求項３】
前記開孔は、おむつ内面側となる面側からおむつ外面側となる面側に向けた開孔処理を施すことにより形成され、開孔縁がおむつ外側に起立している請求項１、２いずれかに記載の使い捨ておむつ。
【請求項４】
前記開孔は、製造ライン上において、開孔手段を導入し形成してある請求項１〜３いずれかに記載の使い捨ておむつ。
【請求項５】
前記外面バックシートの内面側に、少なくとも前記係合領域として設定される所定範囲に対応する領域に多数の雌型素子が形成された係止部を有する面ファスナーの雌材シートを設ける請求項１〜４いずれかに記載の使い捨ておむつ。
【請求項６】
前記係合領域は、製品の幅方向中心から左右両側縁に向かって延在するように設けられているとともに、前記フック要素との係合力が製品の幅方向中心から左右両側縁方向に向かって、段階的又は連続的に低くなるように構成されている請求項１〜５いずれかに記載の使い捨ておむつ。
【請求項７】
前記係合領域は、製品の幅方向中心から左右両側縁に向かって延在するように設けられているとともに、前記フック要素との係合力が製品の幅方向中心から左右両側縁方向に向かって、段階的又は連続的に高くなるように構成されている請求項１〜５いずれかに記載の使い捨ておむつ。
【請求項８】
前記係合領域は、製品の幅方向中心から左右両側縁に向かって延在するように設けられているとともに、前記フック要素との係合力が製品の縦方向上側において最大とされ、下側に向かって段階的又は連続的に低くなるように構成されている請求項１〜５いずれかに記載の使い捨ておむつ。
【請求項９】
前記係合領域は、製品の幅方向中心から左右両側縁に向かって延在するように設けられているとともに、前記フック要素との係合力が製品の縦方向下側において最大とされ、上側に向かって段階的又は連続的に低くなるように構成されている請求項１〜５いずれかに記載の使い捨ておむつ。
【発明の詳細な説明】
【技術分野】
【０００１】
本発明は、おむつの前身頃外面にフロントターゲットテープを有しないテープ式使い捨ておむつに係り、特に簡便な手段でファスニングテープとの機械的係合力を高めたテープ式の使い捨ておむつに関する。
【背景技術】
【０００２】
従来より、市販されているテープ式紙おむつは、例えば図１７に示すように、装着のために紙おむつの後身頃の両側に、おむつ装着用のファスニングテープ５０，５０を備えるもので、使用に際しては紙おむつの前身頃および後身頃をそれぞれ着用者の身体に当てがった後、前記ファスニングテープ５０，５０を腹側に持ち込み、紙おむつ外面のポリエチレンシートなどの不透液性シートの表面に粘着剤により固定されているポリエチレン等のプラスチック材料、不織布、トリコット等よりなるフロントターゲットテープ５１（以下、ＦＴＴという。）に止着して紙おむつを固定するようにしている。
【０００３】
かかるテープ式紙おむつにおいては、１回の止着できっちりとおむつを装着するのは困難で、実際には何回かの止着直しによっておむつの装着を行うことが多々ある。例えば、一方のファスニングテープ５０をＦＴＴ５１に止着した後、他方のファスニングテープ５０がＦＴＴに届かないなどの場合には、止着し直さなければならない煩わしさがあるとともに、止着直しを何回か行っている間にＦＴＴが破けてしまうことがあった。
【０００４】
これらの問題点に対処するため、前記ファスニングテープ５０を粘着式ではなく、フック等による機械係合式とするとともに、おむつ外面を構成するバックシートを不織布とし、おむつの装着に当たり、前記ファスニングテープ５０を前記外面バックシート（不織布）の表面に直接的に係合させるようにした使い捨ておむつが種々提案されている。
【０００５】
例えば、下記特許文献１では、液透過性の表面シート、液不透過性の裏面シート及びこれら両シート間に介在する吸収体と、装着時におむつを固定するためのファスニングテープと、該ファスニングテープの不必要時に該ファスニングテープを折り返し部によって、折り返してその粘着面を粘着させておくリリーステープとを有する使い捨ておむつにおいて、上記裏面シートは、上記使い捨ておむつの幅方向における３％伸張時の荷重が１００ｇ／cm〜３００ｇ／cmで、バルクソフトネスが５５ｇ以下で、且つ破断強度が２５０ｇ／cm以上であり、上記ファスニングテープは、該裏面シートに対する１８０°剥離力（上記裏面シートに粘着させて、４０℃８０％ＲＨで２４時間経過した後の剥離力）が４００ｇ／cm以下で且つ５００ｇ荷重下での保持時間が１０分以上であり、上記裏面シートには、上記ファスニングテープを粘着させるための補強フィルムが無いことを特徴とする使い捨ておむつが開示されている。
【０００６】
また、下記特許文献２では、紙おむつの背側両側端部に取り付けられたファスニング片を有し、このファスニング片の止着面にフック要素を有するとともに、前記紙おむつの裏面を構成する外面シートを不織布となし、紙おむつの装着に当り、前記ファスニング片のフック要素を前記不織布外面シートの表面の任意個所に係合可能となした紙おむつであり、前記不織布外面シートおよびその下側のシートの少なくとも一方に、前記ファスニング片のフック要素を止着する位置の目安となるターゲット印刷を、外部から視認可能なように施した紙おむつが開示されている。
【０００７】
更に、下記特許文献３では、表面側を覆う透液性のトップシートと、裏面側を覆う不透液性のバックシートと、前記各シート間に介在された吸収体と、前記バックシートの外側背部両側に固定されたおむつ止着用のファスニングテープを具備して成るおむつ本体を長手方向中央部より折り畳むことにより前身頃と後身頃を形成するように構成されたＦＴＴレス（ＦＴＴを備えない）タイプの使い捨て紙おむつにおいて、前記前身頃の腹部位置にファスニングテープの止着位置を表示したターゲット印刷を施した帯条のシートを、該印刷が外部より目視可能に設けた使い捨て紙おむつが開示されている。
【０００８】
一方、不織布自体を面ファスナー雌材とした提案も成されている。例えば、下記特許文献４では、多数の熱可塑性長繊維が集積されてなり、該長繊維相互間は、一定の間隔を置いて配置された多数の熱融着区域において、該長繊維自体の軟化又は溶融による自己融着によって固定されてなり、且つ、所定の伸縮強度を同時に満足すると共に、ニードルパンチによって、該長繊維の一部が切断し或いは該熱融着区域の一部が破壊され或いは該長繊維の一部が表面にループ状となって突出していることを特徴とする柔軟性に優れた伸縮性不織布よりなる面ファスナー用雌材が開示されている。
【０００９】
また、下記特許文献５では、不織布の一方の表面側に突出するループ部が形成されてなる面ファスナー雌材において、水流絡合ウェブの一方の表面側に、ニードルパンチ法によって突出形成されたループ部を有することを特徴とする面ファスナー雌材が開示されている。
【特許文献１】特開平７−３０８３４３号公報
【特許文献２】特開２００２−２５３６０８号公報
【特許文献３】特開２００３−１５３９５２号公報
【特許文献４】特開２０００−１６０４６４号公報
【特許文献５】特開平１１−２９９５０８号公報
【発明の開示】
【発明が解決しようとする課題】
【００１０】
しかしながら、上記特許文献１〜３に示す使い捨ておむつのように、機械式ファスニングテープを外面バックシートを成す不織布に直接的に係合させる構造の場合には、機械式ファスニングテープと外面バックシートとの係合力が十分に確保することができず、装着中に機械式ファスニングテープが外面バックシートから外れることがあった。
【００１１】
一方、上記特許文献４，５に記載された面ファスナー雌材（不織布）を前記外面バックシートとして使用すれば、十分な係合力が得られるけれども、基材となる不織布の繊維をニードルパンチによってループ状に突出形成させた構造とするには、嵩高の不織布を使用する必要があるため、使用可能な不織布の性状がかなり限定されてしまうなどの問題がある。
【００１２】
ところで、この種の面ファスナーを用いた使い捨ておむつでは、装着者の動きに対応すべく、ファスニングテープが接着されているフラップに伸縮性を持たせたり、ファスニングテープそのものに伸縮性を持たせたり、あるいは係止部形成領域に伸張性を持たせたりして、腹回りに伸縮性を持たせて装着者が動きやすいように構成するのが一般的である。また、このように伸縮性を積極的に付与しなくとも装着者の動きに伴う構成シート素材の伸び等によって少なからず腹回りは伸縮する。
【００１３】
しかし、従来の使い捨ておむつの係止部は、雄材との剥離強度が部位によって相違していない構成であり、例えば、きつめに装着しようとしてファスニングテープを中心部側に引っ張って係止させたときに、ファスニングテープの収縮力等が強く作用して係止が外れやすくなり、反対にゆるめに装着しようとして脇部に近い位置に係止させるとファスニングテープの収縮力がほとんど作用せず必要のない強さで係止されるものであった。
【００１４】
そしてこの構成では、腹回りが伸張した状態での必要十分な係止状態を担保しようとすると、係止部を構成する雌材シートやエンボス領域とファスニングテープとの剥離強度を強くするように構成するか、ファスニングテープあるいはサイドフラップを伸びやすく構成して腹回りの伸張力をゆるくするしかないが、剥離強度を強くする態様ではファスニングテープの付け直しが容易ではなくなり面ファスナーの利点が少なくなり、反対に腹回りの伸張力を弱めると前後身頃のずれが生じやすくなってもれ発生の原因となる。
【００１５】
また、例えば、装着者の年齢などに起因する腹回りの形状や、寝返りなどの多動によっては、前後身頃がずれることが頻繁に生ずることがあり、このときにはファスニングテープは、製品長さ方向に向かって剥離させられることになることが多い。従って、このときには製品の幅方向中心部よりも幅方向両側縁部のほうが前後身頃のずれ幅が大きくなるために、製品の幅方向中心部よりも幅方向両側縁部のほうが剥離しにくいものが望まれる。
【００１６】
そこで本発明の第１の課題は、おむつの背側両側部に機械接合式のファスニングテープを設け、おむつの装着に当たり、前記ファスニングテープを不織布からなる外面バックシート（不織布）の表面に直接的に係合させるようにした使い捨ておむつにおいて、前記外面バックシート及びファスニングテープの大掛かりな設計変更を伴うことなく、外面バックシートに対するファスニングテープの係合力を向上させた使い捨ておむつを提供することにある。
【００１７】
第２の課題は、ファスニングテープの係合領域に対する止着位置がどこであっても常に好適な強さの係止状態とすることができる使い捨ておむつを提供することにある。
【課題を解決するための手段】
【００１８】
前記課題を解決するために請求項１に係る本発明として、吸収体と、該吸収体の表面側を覆う透液性トップシートと、前記吸収体の裏面側を覆う防漏シートと、この防漏シートの外面側に設けられた不織布からなる外面バックシートと、おむつの背側両側部に設けられたフック要素を有する機械接合式のファスニングテープとからなり、おむつの装着に当たり前記ファスニングテープを前記外面バックシートの表面に直接的に係合させるようにした使い捨ておむつにおいて、
前記外面バックシートの外面側に対して、少なくとも前記ファスニングテープの係合領域として設定される所定範囲に、前記外面バックシートを貫通する多数の開孔を設けてあることを特徴とする使い捨ておむつが提供される。
【００１９】
上記請求項１に係る本発明は、前記所定範囲に施された多数の開孔に対してファスニングテープの係合片（フック片等）が係止して、ファスニングテープの係合を図ることができる。これにより、低目付の嵩の無い不織布であっても、十分な係合力を与えることができ、紙おむつの不織布外面バックシートとして使用できるようになる。なお、ファスニングテープの係合力は前記開孔の形成割合によって調整することが可能である。
【００２０】
請求項２に係る本発明として、前記開孔は、前記係合領域として設定される所定範囲に、５〜２０％の割合で形成されている請求項１に記載の使い捨ておむつが提供される。
【００２１】
上記請求項２に係る本発明は、フック要素の適度な係合力の確保又は不織布の強度維持などの観点から、開孔処理によって施される開孔の面積率を規定したものである。また、開孔の面積率を調整するだけの簡便な方法によって、ファスニングテープの係合力が調整できるようになる。
【００２２】
請求項３に係る本発明として、前記開孔は、おむつ内面側となる面側からおむつ外面側となる面側に向けた開孔処理を施すことにより形成され、開孔縁がおむつ外側に起立している請求項１、２いずれかに記載の使い捨ておむつが提供される。
【００２３】
上記請求項３に係る本発明として、前記開孔は、おむつ内面側となる面側からおむつ外面側となる面側に向けて形成するようにしたものであり、開孔縁が僅かでも外面側に起立することで、フック要素が引っ掛かり易くなり、係合力が出易くなる。
【００２４】
請求項４に係る本発明として、前記開孔は、製造ライン上において、開孔手段を導入し形成してある請求項１〜３いずれかに記載の使い捨ておむつが提供される。
【００２５】
上記請求項４記載の発明は、前記開孔を、製造ライン上において、開孔手段を導入し形成してあるので、容易に製造できるようになる。前記開孔手段としては、例えばカッター、エンボス、エアーなどの開孔手段を挙げることができる。
【００２６】
請求項５に係る本発明として、前記外面バックシートの内面側に、少なくとも前記係合領域として設定される所定範囲に対応する領域に多数の雌型素子が形成された係止部を有する面ファスナーの雌材シートを設ける請求項１〜４いずれかに記載の使い捨ておむつが提供される。
【００２７】
上記請求項５記載の発明では、前記外面バックシートの内面側に前記雌材シートを設けることにより、前記開孔から雌材シートが露出し、ファスニングテープとの係合力がさらに向上できる。
【００２８】
請求項６に係る本発明として、前記係合領域は、製品の幅方向中心から左右両側縁に向かって延在するように設けられているとともに、前記フック要素との係合力が製品の幅方向中心から左右両側縁方向に向かって、段階的又は連続的に低くなるように構成されている請求項１〜５いずれかに記載の使い捨ておむつが提供される。
【００２９】
上記請求項６記載の発明は、おむつの着脱作業を行う使用者及びおむつを装着する装着者の使用状況に合わせて構成した第１の態様である。例えば、本第１の態様は、生後間もない新生児用のおむつとして好適に使用できる。具体的には、ベビー用おむつの中でも生後間もなく使用される新生児用おむつにおいては、製品の幅方向中心部から左右両側縁方向に向かって、係合力が低くなるように設計するとよい。本来、新生児用おむつでは装着者である新生児が激しい動きをすることはほぼ無いため、高い係合力は必要とされない。しかし、おむつの取扱いに不慣れな使用者にとっては、係合力を高めに設定することは、使用時に安心感を与えるため必要な場合がある。そこで、前記第１の態様に構成することによって、生後間もない新生児用おむつとして使用する場合に係合される幅方向中央寄りでは係合力を高めに設定し、そして赤ちゃんが成長して係合位置が幅方向側縁方向に移動するに従って、また使用者がおむつの取扱いに慣れるに従って、徐々に適当な強度まで係合力を下げるようにしたものである。これにより、おむつの使用者及び装着者の使用状況に合わせて、ファスニングテープの係合領域に対する止着位置がどこであっても常に好適な強さの係止状態を実現することができる。
【００３０】
請求項７に係る本発明として、前記係合領域は、製品の幅方向中心から左右両側縁に向かって延在するように設けられているとともに、前記フック要素との係合力が製品の幅方向中心から左右両側縁方向に向かって、段階的又は連続的に高くなるように構成されている請求項１〜５いずれかに記載の使い捨ておむつが提供される。
【００３１】
上記請求項７記載の発明は、使用者及び装着者の使用状況に合わせて構成した第２の態様である。本形態にかかるおむつは、ベビー用おむつの中でも使用者がおむつの取扱いに慣れ、装着者である赤ちゃんの動きが活発になる１〜２歳児以上を対象にしたものである。かかるおむつは、適応サイズのぎりぎりまで使用されることがあるため、特に幅方向中央から側縁部に移るに従って、係合力が上がるように設定することが望まれていた。このように係合領域の側縁部で係合力を強く設定することにより、赤ちゃんの動きによってファスニングテープが左右両側縁方向へ引っ張られ、意図せず止着状態が解除されるのを防ぐことができる。さらに、おむつの使用者及び装着者の使用状況に合わせて、ファスニングテープの係合領域に対する止着位置がどこであっても常に好適な強さの係止状態を実現することができる。
【００３２】
請求項８に係る本発明として、前記係合領域は、製品の幅方向中心から左右両側縁に向かって延在するように設けられているとともに、前記フック要素との係合力が製品の縦方向上側において最大とされ、下側に向かって段階的又は連続的に低くなるように構成されている請求項１〜５いずれかに記載の使い捨ておむつが提供される。
【００３３】
上記請求項８記載の発明は、使用者及び装着者の使用状況に合わせて構成した第３の態様である。本態様にかかるおむつは、腹部の上部（臍周辺）が大きく張り出した乳幼児などを対象としたものである。具体的には、係合領域の係合力が縦方向上側において最大とすることによって、腹圧により最も係止状態が解除されやすい胴回り開口縁付近でしっかりと係止がなされるようになっている。一方、係合領域の縦方向下側に向かって段階的又は連続的に係合力が低くなるように構成することによって、下腹部を不要に強固に締め付けないようにしている。これにより、おむつの使用者及び装着者の使用状況に合わせて、ファスニングテープの係合領域に対する止着位置がどこであっても常に好適な強さの係止状態を実現することができる。
【００３４】
請求項９に係る本発明として、前記係合領域は、製品の幅方向中心から左右両側縁に向かって延在するように設けられているとともに、前記フック要素との係合力が製品の縦方向下側において最大とされ、上側に向かって段階的又は連続的に低くなるように構成されている請求項１〜５いずれかに記載の使い捨ておむつが提供される。
【００３５】
上記請求項９記載の発明は、使用者及び装着者の使用状況に合わせて構成した第３の態様である。本態様にかかるおむつは、下腹部の張り出しが大きい成人などを対象としたものである。本態様にかかるおむつは、上記請求項８記載の発明とは反対に、係合領域の縦方向下側において最大とされるため、腹圧により最も係止状態が解除されやすい下腹部付近でしっかりと係止がなされるようになっている。一方、係合領域の縦方向上側に向かって段階的又は連続的に係合力が低く設定してあるため、胴回り開孔縁近傍では不要に強固に締め付けないようにしている。これにより、おむつの使用者及び装着者の使用状況に合わせて、ファスニングテープの係合領域に対する止着位置がどこであっても常に好適な強さの係止状態を実現することができる。
【発明の効果】
【００３６】
以上詳説のとおり本発明によれば、前記外面バックシート及びファスニングテープの大掛かりな設計変更を伴うことなく、外面バックシートに対するファスニングテープの係合力を向上させることができるようになる。また、ファスニングテープの係合領域に対する止着位置がどこであっても常に好適な強さの係止状態とすることができるようになる。
【発明を実施するための最良の形態】
【００３７】
以下、本発明の実施の形態について図面を参照しながら詳述する。
【００３８】
図１は本発明に係る使い捨て紙おむつの一部破断展開図、図２は横断面図である。
〔使い捨ておむつ１の構造〕
図１及び図２において、使い捨ておむつ１は、綿状パルプ等からなり、たとえば砂時計形状（または長方形状等）のある程度の剛性を有するとともに、クレープ紙５によって囲繞された吸収体４と、該吸収体４の表面側（使用面側）を覆うように配設された有孔または無孔の不織布や孔開きプラスチックシート等からなる透液性トップシート３と、前記吸収体の裏面側に配設され、少なくとも吸収体４の全面積を覆うように配設されたポリエチレン等からなる防漏シート６と、この防漏シート６の外面側（非肌当接面側）に設けられた不織布からなるとともに、おむつ外形を画成する外面バックシート２と、紙おむつの両側部に表面側に起立する立体ギャザーＢＳを形成するとともに、おむつ両側部では前記防漏シート６及びバックシート２と共にサイドフラップ部ＳＦを構成するためのサイド不織布７、７と、おむつ背側両側部に設けられた機械接合式のファスニングテープ１０，１０とから主に構成されている。また、紙おむつの腹部ウエスト部および背側ウエスト部では、前記外面バックシート２、防漏シート６および透液性トップシート３が共に延在し、吸収体４の存在しないエンドフラップ部ＥＦが形成されている。
【００３９】
装着に当たっては、図３に示されるように、紙おむつ１の前身頃および後身頃をそれぞれ着用者の身体に当てがった後、前記ファスニングテープ１０，１０を腹側に持ち込み、外面バックシート２の表面に直接的に係合させて紙おむつを装着する。
【００４０】
以下、更に各構成について具体的に詳述すると、
前記吸収体４は、たとえばフラッフ状パルプと吸水性ポリマーとにより構成され、図示例では脚回りへの当たりを和らげるために両側部に夫々括れ部を有する略砂時計状とされる。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。図示例のように、吸収体４をクレープ紙５で囲繞する場合には、結果的に透液性表面シート３と吸収体４との間にクレープ紙が介在することになり、吸収性に優れる前記クレープ紙５によって体液を速やかに拡散させるとともに、これら経血等の逆戻りを防止するようになる。
【００４１】
前記透液性トップシート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、エアスルー法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００４２】
前記防漏シート６は、ポリエチレンやポリプロピレン等のオレフィン系樹脂シートなどの少なくとも遮水性を有するシート材が用いられ、漏れを防止するために少なくとも吸収体４の全面積を覆う範囲に設置される。近年は、ムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００４３】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、体液等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００４４】
前記透液性トップシート３は、吸収体４側縁よりも若干外方に突出し、前記防漏シート６と接合されている。前記サイド不織布７は、前記吸収体４の側縁部近傍よりも外側部分が外縁まで延び、前記防漏シート６及び外面バックシート２と接合され、この積層シート部分によってサイドフラップＳＦを構成している。
【００４５】
このサイドフラップ部ＳＦにおいては、紙おむつ長手方向に複数本、図示の例では２本の弾性伸縮部材８，８が配設され、平面ギャザーが形成されている。この平面ギャザーは、着用した際に紙おむつをきっちりと脚周りにて保持することにより、フィット性を向上させ紙おむつがずれるのを防止する。
【００４６】
他方、前記サイド不織布７の前記固着部よりも内方側の不織布シート部分によって表面側に起立する立体ギャザーＢＳが形成されている。この立体ギャザーＢＳは、吸収体４の側縁近傍位置に起立端を有し、その先端が紙おむつ長手方向に沿って二重に折り返され、この折り返し部の内方に１本の弾性伸縮部材９を、または必要により複数本の弾性伸縮部材を配設することにより、その伸縮力を利用して立体ギャザーＢＳを起立させるようになっている。
【００４７】
前記弾性伸縮部材８，９としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００４８】
前記サイド不織布７を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンボンド法、エアスルー法、メルトブローン法、ニードルパンチ法等の適宜の加工方法に得られた不織布を用いることができるが、特にサイドフラップ部ＳＦを構成する前記サイド不織布７は、ゴワ付き感を無くすとともに、ムレを防止するために、坪量を抑えて通気性に優れた不織布を用いるのがよい。
【００４９】
前記機械接合式のファスニングテープ１０は、プラスチック、ポリラミ不織布、不織布、紙等のファスニング基材１０Ａの基部がおむつに接合されている。前記ファスニング基材１０Ａの突出片部分でかつ表面側（透液性トップシート３側の面）にフック要素１０Ｂを有する。前記フック要素１０Ｂは、ファスニング基材１０Ａに接着剤により剥離不能に接着されている。前記フック要素１０Ｂは、その外面に多数の係合片１０ｂ、１０ｂ…を有する。係合片１０ｂの形状としては、図４に示されるように、例えば(A)レ字状、(B)Ｊ字状、(C)マッシュルーム状、(D)Ｔ字状、(E)ダブルＪ字状（Ｊ字状のものを背合わせに結合した形状のもの）等のものが存在するが、いずれの形状であってもよい。好ましいのは後述する開孔１２又は外面バックシート２の繊維に絡み易い形状、例えばレ字状、Ｊ字状、Ｔ字状又はダブルＪ字状のものである。前記ファスニングテープ１０は製品状態では、透液性トップシート３側に折り畳まれ、前記フック要素１０Ｂがサイド不織布７に対して剥離可能に接合された状態となっている。
【００５０】
前記外面バックシート２の不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、エアスルー法、ニードルパンチ法等の適宜の加工法によって得られた不織布を用いることができる。また、一般にファスニングテープとの機械的係合を図る場合、起毛による適度の係合力を備えた不織布とする必要があったが、本発明に係る使い捨ておむつ１では、この係合力が任意のものとすることができる。
【００５１】
〔係合範囲１１の構造〕
前述の不織布からなる外面バックシート２は、外面側の少なくとも前記ファスニングテープ１０の係合領域として想定される所定範囲１１（以下、係合範囲という。）に対して開孔処理を施すことによって、フック要素１０Ｂとの係合力増大を図るようにする。前記係合範囲１１は、任意に設定することができるが、体型差を考慮した上で十分に広く設定するのが望ましい。
【００５２】
前記係合範囲１１には、図５及び図６に示されるように、外面バックシート２を貫通する開孔処理を施すことによって、多数の開孔１２、１２…を設けるようにする。この開孔１２の平面形状は、図５(A)〜(C)に示されるように、おむつ長手方向に長い又はおむつ幅方向に長いスリット状の線状開孔としたり、円形、楕円形又は勾玉形などの丸みを帯びた孔形状とすることができる。また、その配列は規則的或いは不規則的であってもよく、係合範囲１１に亘って任意である。さらに、前記開孔１２の断面形状は、その開孔１２の縁が、図６及び図７(A)に示されるように、おむつの表面に対してフラットになるように形成したり、図７(B)に示されるように、おむつ外側に起立するように形成したり、又はおむつ内側に起立するように形成（図示せず）したりすることができる。これらの内、ファスニングテープ１０の係合片１０ｂとの係合力をより増大し得るものは、図７(B)に示されるように、開孔１２の縁がおむつ外側に起立して形成された態様である。
【００５３】
このような開孔処理が施された係合範囲１１に、ファスニングテープ１０を係止するには、図７に示されるように、ファスニングテープ１０を装着者腹側に持ち込んで引き寄せた状態で、フック要素１０Ｂを係合範囲１１に係合させる。これにより、係合片１０ｂが開孔１２内に侵入し、装着者の腹回り方向（図７中矢印方向）への引張力が付加され、係合片１０ｂが開孔１２に係止することにより、ファスニングテープ１０の係合力増大が図れるようになる。なお、開孔１２内に侵入しない係合片１０ｂは、外面バックシート２の表面から突出した不織布繊維と係合することにより係合力が付加されている。
【００５４】
上述のように、本発明に係るおむつは、係合片１０ｂが開孔１２内に侵入して係合力増大を図るようになるため、前記外面バックシート２として、係合片１０ｂと外面バックシート２の表面から突出した不織布繊維との係合力が任意のものを使用することが可能となる。特に、外面バックシート２として、例えばＳＭＳやスパンボンド不織布などのように、係合片１０ｂと外面バックシート２の表面から突出した不織布繊維との係合力が得にくいものに適用した場合に、本発明の係合力増大の効果が顕著に表れるようになる。また、外面バックシート２としてＳＭＳやスパンボンド不織布を使用することにより、これらの不織布は強度特性に優れているため、係合範囲１１に開孔処理を施しても十分な強度を維持したおむつとすることができる。
【００５５】
フック要素１０Ｂの適度な係合力の確保又は不織布の強度維持などの観点から、前記開孔１２の開孔率は、前記係合範囲１１として設定される所定範囲に、５〜２０％の面積割合で形成するのが望ましい。開孔率が５％を下回ると開孔１２に侵入する係合片１０ｂが減少して十分な係合力が得られず、２０％を超えると不織布自体の強度が弱い場合、フック要素１０Ｂの係合部分が破れるおそれがある。
【００５６】
また、前記開孔１２を図５(A)及び(B)に示されるスリット状に形成する場合、そのスリット幅は０．５mm以下、好ましくは０．２〜０．５mmとし、そのスリット中心間隔は５〜１５mm、７〜１０mmとすることが望ましい。
【００５７】
一方、前記開孔１２を図５(C)に示される円孔等で形成する場合、１つの円の直径（最大径）は０．５〜４mm、好ましくは１．０〜３mmとし、孔の中心間隔は５〜１５mm、好ましくは７〜１０mmとすることが望ましい。なお、円以外の楕円形状又は勾玉形状で形成する場合、１つの形状は３mm×３mmの寸法内に収まる大きさとするのが望ましい。
【００５８】
本発明に係る使い捨ておむつ１は、開孔１２の形成割合を調整することによりファスニングテープ１０の係合力を容易に調整できる利点を有する。
【００５９】
ところで、前記外面バックシート２の内面側に、少なくとも前記係合範囲１１に対応する領域に多数の雌型素子が形成された係止部を有する面ファスナーの雌材シート１６が備えられ、前記開孔１２、１２…から前記雌型素子が露出するようにすることができる。
【００６０】
前記面ファスナーの雌材シート１６は、ファスニングテープ１０、１０に設けられたフック要素１０Ｂとの係止に適した雌型素子を備えるシート状物で構成され、従来例における既知の各種雌材シートを適宜の加工等して用いることができる。雌材シート１６は、例えば、一方面にループ状またはアーチ状の雌型素子を多数形成した織布、合成繊維、再生繊維、綿等の天然繊維などからなるウェブを、スパンレース法等の適宜の加工法を施して片面にループ状、アーチ状の雌型素子を多数顕著に形成した不織布あるいはこれを基材シートに貼付して形成したものを用いることができる。ここで、後述する係合範囲１１の区画毎の段階的なあるいは連続的な剥離強度の相違を達成せしめるにあたっては、例えば、区画毎に雌型素子の密度が相違する雌材シートを用いることができる。また、一枚の雌材シートを区画毎にエンボス加工するなどして雌型素子を適度につぶすことによっても達成できる。
【００６１】
次に、前記係合範囲１１に対する開孔処理について詳述する。前記外面バックシート２を構成する不織布に対して開孔処理を施すには、図８に示されるように、製造ラインにおいて、カッターロール１４とアンビルロール１５とを対向配置した加工設備１３により、これらロール１４，１５間に不織布ウエブ（外面バックシートウエブ）を通過させることにより行うことができる。前記カッターロール１４の表面には周方向の所定の間隔で凸状カッター１４ａ、１４ａを配置し、ウェブ（外面バックシート２）のライン速度と同等の速度で回転させた状態で外面バックシート２の係合範囲１１に対して開孔１２、１２…を形成する（図９）。前記開孔処理は、おむつ内面側となる面側からおむつ外面側となる面側に向けてカッターを導入するのが望ましい。これにより、開孔１２の縁は、図７(B)に示されるように、おむつ外側に起立するように設けることができるようになり、前記係合片１０ｂが引っ掛かり易くなり、係合力が出易くなる。
【００６２】
上述のようにして開孔処理が施された外面バックシート２は、内面側（肌当接面側）に、接着剤が塗布された前記防漏シート６を接着した後、次の組立工程に送られる。
【００６３】
ここで、前記防漏シート６と外面バックシート２の接着の際、少なくとも係合範囲１１において、接着剤の塗布範囲（前記防漏シート６と外面バックシート２の接着面積）は、前記防漏シート６と外面バックシート２の接合面積の５〜９０％、好ましくは２０〜８０％とすることが好ましい。接着剤の塗布範囲が前記接合面積の９０％を超えると開孔１２，１２…の縁も防漏シート６に接着してしまい、係合片１０ｂの係合ができなくなる。また、接着剤の塗布範囲が前記接合面積の５％未満では、ファスニングテープ１０を剥離する際、防漏シート６から外面バックシート２が剥離するおそれがある。
【００６４】
また、前記防漏シート６と外面バックシート２の接着強度は、２５０gf/25mm以上であることが望ましい。２５０gf/25mm未満では、ファスニングテープ１０を剥離する際、防漏シート６から外面バックシート２が剥離するおそれがある。
【００６５】
このような外面バックシート２とその下側のシートとの接着態様及び条件は、下側のシートとして前記雌材シートを備えるような場合においても同様に適用できる。
【００６６】
本発明に係る使い捨ておむつ１では、係合範囲１１が、図１０(A)に示されるように、製品の幅方向中心部から左右両側縁に向かって、ファスニングテープ１０の係合片１０ｂとの係合力を段階的に変化させるか、又は図１０(B)に示されるように、製品の縦方向一方側から他方側に向かって、ファスニングテープ１０の係合片１０ｂとの係合力を段階的に変化させることができる。具体的には、第１の態様として、ファスニングテープ１０の係合片１０ｂとの係合力がおむつの幅方向中心から左右両側縁方向に向かって、段階的に低くなる構成とすることができる。また第２の態様として、前記係合片１０ｂとの係合力が製品の幅方向中心から左右両側縁方向に向かって、段階的に高くなる構成とすることができる。第３の態様として、前記係合片１０ｂとの係合力が製品の縦方向上側において最大とされ、下側に向かって段階的又は連続的に低くなる構成とすることができる。さらに第４の態様として、前記係合片１０ｂとの係合力が製品の縦方向下側において最大とされ、上側に向かって段階的又は連続的に低くなる構成とすることができる。
【００６７】
図１０(A)は、上記第１及び第２の態様に係る係合範囲１１を示したものであり、係合範囲１１が、中央に位置する区画Ｄ１と、その両側に隣接する区画Ｄ２、Ｄ２と、さらにその両側に隣接する区画Ｄ３、Ｄ３との５区画に区分けされている。各区画の係合力について、上記第１の態様に係る係合範囲１１を例に説明すると、図１１に示されるように、中央に位置する区画Ｄ１の係合力が最も高く、それに隣接する区画Ｄ２、さらにその区画Ｄ２に隣接する区画Ｄ３の順で係合力が低下するように構成されている。一方、図１０(B)は、上記第３及び第４の態様に係る係合範囲１１を示したものであり、係合範囲１１が、製品の縦方向上側から区画Ｄ４〜Ｄ６に区分けされている。
【００６８】
各区画の具体的な係合力は適宜定めることができるが、概ね、剥離強度が１００ｇｆ〜１５００ｇｆ、好ましくは１４０〜４００ｇｆの範囲で差をもって段階分けするのが望ましい。なお、剥離強度が１００ｇｆ未満である場合、十分な係止が得られず、１５００ｋｇｆを超えると、係止力が強すぎて着け剥がしのさいなどに係合範囲１１の毛羽立ちが生じやすくなる。
【００６９】
なお、この剥離強度の測定方法は、次記のようにして測定する。まず、幅５０ｍｍ×長さ１００ｍｍの布テープを幅方向に二つ折りにして幅２５ｍｍ×１００ｍｍの二つ折り布テープとし、この布テープの一方端にファスニングテープをしっかりと貼付する。この際、ファスニングテープのフック要素が、布テープの先端よりも外方に位置するようにする。
【００７０】
一方で、ステンレス製平板に、本願発明にかかる雌材シートを雌型素子形成面を上面として両面粘着テープにて貼付する。さらに、両端をクラフトテープで固定する。
【００７１】
次いで、ファスニングテープのフック要素と雌型素子形成面とを接触させたのち、これらの上を質量２ｋｇのローラで布テープ側から一往復させてファスニングテープと雌材シートを圧着する。さらに、布テープのファスニングテープ貼付反対側他方端に１ｋｇの分銅を１０秒間吊り下げて圧着部分にせん断力をかけ係止を確実なものとする。
【００７２】
その後に、ステンレス平板と布テープのファスニングテープ貼付反対側他方端とを引張試験機の治具でチャックする。このときステンレス平板に対して布テープのファスニングテープ貼付反対側他方端をチャックする治具の引張方向が９０°となるようにする。
【００７３】
かくして最終剥離角度９０°となるように治具を引張試験機にセットしたのち、３００ｍｍ／ｍｉｎで圧着部分を剥離し、そのときに測定される凹凸加重平均値を剥離強度とする。なお、測定値は有効測定値の３〜１０回の平均とする。また、測定にあたって試料の設置は、測定がＣＤ対ＣＤ方向の測定となるようにする。さらに、試験片の大きさは、ファスニングテープ４７ｍｍ±３ｍｍ（ＭＤ方向）×９３ｍｍ（ＣＤ方向）、雌基材シート２３．５±１．５ｍｍ（ＭＤ方向）×２４ｍｍ（ＣＤ方向）となるようにする。ここでの、ＭＤ方向は製品前後方向を、ＣＤ方向は製品幅方向である。
【００７４】
なお、剥離強度の試験には、引張試験機（ＳＨＩＭＡＤＺＵ社製のＡＯＵＴＧＲＡＰＨ  ＡＧＳ−Ｇ１００Ｎ）を用いることができる。
【００７５】
他方、係止部の区画数は、図示例の５区画に限られるものではなく３区画でもよいし５区画以上あってもよい。ただし、剥離強度を段階的に低下するようにするのであれば、ファスニングテープに形成されたフック要素が収まる大きさの区画であるのが望ましい。
【００７６】
なお、本形態では、製品幅方向中心線において線対称となる位置にある区画同士の剥離強度が同一となるように構成されているが、必ずしも同じにする必要はない。
【００７７】
さらに、図１２に示す係合力と係止部の位置との関係のように、区画を設けずに製品幅方向の中央部から両側縁に向かって、例えば連続的に剥離強度が低下するように構成してもよい。
【００７８】
また、係合範囲１１は区画によらず、ファスニングテープとのせん断力を、１ｋｇ〜１０ｋｇ、好ましくは３〜８ｋｇとなるように設計するのが望ましい。１ｋｇ未満であると係止が解除されやすく、反対に１０ｋｇを超えると、係止が強すぎる。
【００７９】
なお、このせん断力の測定方法は、以下のようにして測定する。まず、ステンレス製平板に、本願発明にかかる雌材シートを雌型素子形成面を上面として両面粘着テープにて貼付する。さらに、両端をクラフトテープで固定する。このとき雌基材シートの周囲にはステンレス製平板の余白が残るようにする。
【００８０】
次いで、ファスニングテープのフック要素を前記雌型素子形成面に接触させたのち、これらの上を質量２ｋｇのローラで布テープ側から一往復させてファスニングテープと雌基材シートを圧着する。
【００８１】
その後に、ステンレス製平板の余白部分とファスニングテープの一端とを引張試験機の治具でチャックする。このときチャック間距離を５０ｍｍにする。かくしてチャッキングが完了したならば、治具をファスニングテープと雌基材シートとのせん断方向に引張速度３０ｍｍ／ｍｉｎで引っ張り、最大せん断力を測定する。なお、測定値は有効測定値の３〜１０回の平均とする。また、測定にあたって試料の設置は、測定がＣＤ対ＣＤ方向の測定となるようにする。さらに、試験片の大きさは、ファスニングテープ４７ｍｍ±３ｍｍ（ＭＤ方向）×９３ｍｍ（ＣＤ方向）、雌基材シート２３．５±１．５ｍｍ（ＭＤ方向）×２４ｍｍ（ＣＤ方向）となるようにする。ここでの、ＭＤ方向は製品前後方向を、ＣＤ方向は製品幅方向である。
【００８２】
次に、前記係合範囲１１とファスニングテープ１０との係合力を段階的に変化させる形態について、図１３〜図１５に基づいて詳述する。図１３は、係合範囲１１の各区画Ｄ１〜Ｄ３の面積をそれぞれ同等に形成した場合において、各区画には同じ大きさの開孔１２を形成するが、形成する開孔の数を区画Ｄ１で最も少なくし、次いで区画Ｄ２、Ｄ３と順次増加した場合の構成パターンである。また、図１４は、係合範囲１１の各区画Ｄ１〜Ｄ３の面積をそれぞれ同等に形成した場合において、各区画に同じ数の開孔１２を形成するが、開孔１２の大きさが区画Ｄ１で最も小さくし、次いで区画Ｄ２、Ｄ３と順次大きくした場合の構成パターンである。図１５は、係合範囲１１の各区画Ｄ１〜Ｄ３の面積をそれぞれ同等に形成した場合において、各区画に形成する開孔部の合計面積は同じとするが、開孔縁の長さの合計が区画Ｄ１で最も大きくし、次いで区画Ｄ２、Ｄ３と順次小さくした場合の構成パターンである。
【００８３】
この場合において、雌材シート１６が介在しない場合、又は雌材シート１６の係合力が外面バックシート２の係合力よりも弱いものを使用した場合は、その区画の面積に対して開孔部分の合計面積の割合を小さくすることにより、当該区画の係合力が強くなり、逆にその区画の面積に対して開孔部分の合計面積の割合を大きくすることにより、当該区画の係合力が弱くなる。したがって、図１３に示される構成パターンの係合範囲１１では、各区画に形成される開孔１２の大きさは同一であるから、開孔数が最も少ない区画Ｄ１で係合力が最大となり、開孔数を増加させるに伴い、区画Ｄ２、Ｄ３の順に係合力が弱くなる。また、図１４に示される構成パターンの係合範囲１１では、各区画に形成される開孔数が同一であるから、開孔の大きさが最も小さい区画Ｄ１で係合力が最大となり、開孔の大きさを増加させるに伴い、区画Ｄ２、Ｄ３の順に係合力が弱くなる。一方、図１５に示される構成パターンの係合範囲１１では、各区画に形成される開孔部の合計面積が同一であるから、係合片１０ｂが各区画の平面部に係合する係合力には差が生じない。ところが、係合片１０ｂが開孔縁と係止することによる係合力は、開口縁の長さの合計が最も大きい区画Ｄ１で最大となり、開口縁の長さの合計を減少させるに伴い、区画Ｄ２、Ｄ３の順に弱くなる。
【００８４】
また、雌材シート１６の係合力が外面バックシート２の係合力よりも強いものを使用した場合は、その区画の面積に対して開孔部分の合計面積の割合を大きくすることにより、当該区画の係合力が強くなり、逆にその区画の面積に対して開孔部分の合計面積の割合を小さくすることにより、当該区画の係合力が弱くなる。したがって、図１３及び図１４に示される構成パターンの係合範囲１１では、開口部分の合計面積が最も小さくなる区画Ｄ１において係合力が最小となり、区画Ｄ２、Ｄ３の順に係合力が強くなる。一方、図１５に示される構成パターンの係合範囲１１では、前述と同様に係合片１０ｂの開孔縁との係止による係合力が、開口縁の長さの合計が最も大きい区画Ｄ１で最大となり、開口縁の長さの合計を減少させるに伴い、区画Ｄ２、Ｄ３の順に弱くなる。
【００８５】
さらに、雌材シート１６の係合力と外面バックシート２の係合力とが同等又は大きな差がないものを使用した場合は、係合片１０ｂと開口縁との係止による係合力に左右されるため、開口縁の長さの合計を大きくすることにより、係合力が強くなる。したがって、図１３に示される構成パターンの係合範囲１１では、係合力は開孔数が最も少ない区画Ｄ１で最小となり、開孔数を増加させるに伴い、区画Ｄ２、Ｄ３の順に係合力が強くなる。また、図１４に示される構成パターンの係合範囲１１では、係合力は開孔の大きさが最も小さい区画Ｄ１で最小となり、開孔の大きさを増加させるに伴い、区画Ｄ２、Ｄ３の順に係合力が強くなる。さらに、図１５に示される構成パターンの係合範囲１１では、係合力は開口縁の長さの合計が最も大きい区画Ｄ１で最大となり、区画Ｄ２、Ｄ３の順に係合力が弱くなる。
【００８６】
なお、上述の構成は、図１０(B)に示されるように、製品の縦方向一方側から他方側に向かって係合力が段階的に変化する形態、具体的には前記フック要素との係合力が製品の縦方向上側（Ｄ４）において最大とされ、下側に向かって段階的又は連続的に低くなるように構成される形態、又は前記フック要素との係合力が製品の縦方向下側（Ｄ６）において最大とされ、上側に向かって段階的又は連続的に低くなるように構成される形態のいずれにおいても同様に適用することが可能である。
【００８７】
ところで、前記雌材シート１６には、印刷又は着色を施したシートを用いることができる。雌材シート１６として印刷又は着色を施したシートを用いることにより、おむつに多彩なデザインを施すことが可能となり、意匠性を向上させることができる。また、前記雌材シート１６に施される印刷又は着色は、ファスニングテープ１０の止着時に目印となるターゲット印刷の役割を兼ねることができる。これにより、防漏シート６を印刷又は着色を施したシートとする必要がなくなり、素材コストを抑えることができる。また、雌材シート１６に施された印刷又は着色は、係合範囲１１や開孔１２の視認が容易化するなどの点で有効である。なお、前記印刷又は着色は、全区画で同一とすることもできるし、各区画ごとに異なる彩色とすることもできる。
【００８８】
図１６に示されるように、前記係合範囲１１には、係合範囲１１の視認又は各区画Ｄ１〜Ｄ３の見分けを容易化するため、各区画の境界部分に開孔１２が存在しない部分Ｄ０、Ｄ０…を設けることができる。これにより、係合範囲１１にターゲット印刷を設ける必要が無くなる。
【００８９】
また、前記外面バックシート２として不透明度の高い白色のシートを用いるとともに、雌材シート１６又は防漏シート６の全体に、印刷又は着色を施すようにしてもよい。これにより、外面バックシート２の白色と、開孔１２…から覗く雌材シート１６又は防漏シート６の印刷又は着色のとの対比により、係合領域が明瞭に認識できるようになる。なお、前記外面バックシート２の不透明度は、ＪＩＳ  Ｐ８１３８に基づいて測定される不透明度が４０％以上、好ましくは４５％以上、より好ましくは５０％以上とする。
【００９０】
他方、前記外面バックシート２として不透明度の低いシートを用い、雌材シート１６又は防漏シート６の係合範囲１１に対応する領域に、印刷又は着色を施すようにしてもよい。外面バックシート２を透過して、印刷又は着色が視認しやすくなり、係合範囲１１が明瞭に認識できるようになる。なお、前記外面バックシート２の不透明度は、ＪＩＳ  Ｐ８１３８に基づいて測定される不透明度が５０％以下、好ましくは４５％以下、より好ましくは４０％以下とする。
【実施例】
【００９１】
目付２０g/m２のスパンボンド不織布からなるシートに、高さ２８５μm、頭部の直径が４２０μmマッシュルーム状の係合片を有するファスニング基材を止着させる操作を繰り返し、１回目の剥離強度と、剥離を４回繰り返した後の５回目の剥離強度の比較実験を行った。表１は、直径０．５mmの円孔からなる開孔１２を係合範囲１１に対して３％の割合で、開孔１２の縁をおむつ外面側となる面側に向けて開孔加工を施した場合（実施例１）、同じく５％の割合で開孔加工を施した場合（実施例２）、同じく１０％の割合で開孔加工を施した場合（実施例３）、直径０．５mmの円孔からなる開孔１２を係合範囲１１に対して１０％の割合で、開孔１２の縁をおむつ内面側となる面側に向けて開孔加工を施した場合（実施例４）、開孔加工を施さない場合（比較例１）についての結果である。表２は、幅１mmの縦スリットからなる開孔１２を係合範囲１１に対して３％の割合で、開孔１２の縁をおむつ外面側となる面側に向けて開孔加工を施した場合（実施例６）、同じく５％の割合で開孔加工を施した場合（実施例７）、同じく１０％の割合で開孔加工を施した場合（実施例８）、幅１mmの縦スリットからなる開孔１２を係合範囲１１に対して１０％の割合で、開孔１２の縁をおむつ内面側となる面側に向けて開孔加工を施した場合（実施例９）、幅１mmの縦スリットからなる開孔１２を係合範囲１１に対して２０％の割合で、開孔１２の縁をおむつ外面側となる面側に向けて開孔加工を施した場合（実施例１０）、同じく２３％の割合で開孔加工を施した場合（実施例１１）についての結果である。なお、表１、２中、◎：係合力強、○：係合力やや強、△：係合力中、×：係合力小である。各評価◎〜△は比較例１（×）を基準とした場合の評価である。
【００９２】
【表１】
2008006272.tif 000003
【００９３】
【表２】
2008006272.tif 000004
【００９４】
表１及び表２に示されるとおり、開孔加工を施さない場合（比較例１）に比べ、開孔加工を施すことにより、係合力が向上できることが実証できた。なお、実施例５及び実施例１１の５回目の剥離強度は、開孔率が高いため、外面バックシート２の資材強度不足が原因で剥離強度が低下したものである。実際のおむつでは５回以上の止着操作の繰り返しは、通常の使用ケースでは起こり難いため、特に問題はないものと思われる。
【００９５】
〔その他の形態例〕
(1)上記形態例では、開孔手段としてカッターロールを用いたが、エンボスロールによって開孔を形成するようにしても良いし、或いはシートを多数の開孔を有する支持体の上面に置いた状態で、支持体の下方から吸引したり、支持体の上面から空気圧で加圧し開孔を形成する方法なども採用することが可能である。
(2)前記開孔１２の形状は、上記実施の形態例で述べたもの以外に、楕円形状や三角形状、四角形状、菱形など任意の多角形状等、種々の形状とすることが可能である。
【図面の簡単な説明】
【００９６】
【図１】本発明に係る使い捨ておむつ１の一部破断展開図である。
【図２】図１のII−II線矢視図である。
【図３】使い捨ておむつ１の装着状態図である。
【図４】係合片１０ｂの形状を示すフック要素１０Ｂ部分の断面図である。
【図５】(A)〜(C)は係合範囲１１に設ける開孔１２のパターン形状例を示す係合範囲１１部分の拡大図である。
【図６】図４(A)〜(C)のVI-VI断面図である。
【図７】係合片１０ｂの開孔１２への係合状態を示す説明図である。
【図８】開孔処理要領を示す図である。
【図９】製造ラインにおけるウエブ（外面バックシート２）に対する係合範囲１１の形成要領図である。
【図１０】(A)、(B)は本発明に係る係合範囲１１を示す使い捨ておむつ１の要部拡大図である。
【図１１】係合力の段階的な相違を説明するための図である。
【図１２】係合力が連続的に変化する場合を説明するための図である。
【図１３】係合範囲１１に施す開孔１２の構成パターン（その１）を示す模式図である。
【図１４】係合範囲１１に施す開孔１２の構成パターン（その２）を示す模式図である。
【図１５】係合範囲１１に施す開孔１２の構成パターン（その３）を示す模式図である。
【図１６】係合範囲１１に施す開孔１２の構成パターン（その４）を示す模式図である。
【図１７】従来の使い捨て紙おむつの斜視図である。
【符号の説明】
【００９７】
１…使い捨ておむつ、２…外面バックシート、３…透液性トップシート、４…吸収体、５…クレープ紙、６…防漏シート、７…サイド不織布、８・９…弾性伸縮部材、１０…ファスニングテープ、１１…係合範囲、１２…開孔、１６…雌材シート
【図１】
2008006272.tif 000005
【図２】
2008006272.tif 000006
【図３】
2008006272.tif 000007
【図４】
2008006272.tif 000008
【図５】
2008006272.tif 000009
【図６】
2008006272.tif 000010
【図７】
2008006272.tif 000011
【図８】
2008006272.tif 000012
【図９】
2008006272.tif 000013
【図１０】
2008006272.tif 000014
【図１１】
2008006272.tif 000015
【図１２】
2008006272.tif 000016
【図１３】
2008006272.tif 000017
【図１４】
2008006272.tif 000018
【図１５】
2008006272.tif 000019
【図１６】
2008006272.tif 000020
【図１７】
2008006272.tif 000021